(57)【要約】【課題】おが屑などの粉粒物を効率よく全体を均等に乾燥することができる粉粒物乾燥装置を提供する。【解決手段】粉粒物乾燥装置の一例であるおが屑乾燥装置１は、通風乾燥部５を設けた乾燥槽２の上部から被乾燥おが屑を投入し、かつ通風乾燥部５を流下させて下部から排出する経路で循環をさせながら通風乾燥する装置である。乾燥槽２内の通風乾燥部５の排風胴２８の頂部に、可動部材３０を被せる。通風乾燥部５の下方のおが屑繰り出し部８のおが屑繰り出し規制体９の頂部にも可動部材３０を被せる。可動部材３０を往復滑動、揺動または振動させるなどの単独またはそれらの複合変動のための駆動手段を備える。可動部材３０の変動により排風胴２８の頂部及びその付近ないしは給風胴の付近、さらにはおが屑繰り出し部８のおが屑繰り出し規制体９の頂部およびその付近に生じる被乾燥おが屑の固まりをほぐして良好な流動性を維持する。【選択図】        図１
2005016752.tif 000002
【特許請求の範囲】
【請求項１】
被乾燥粉粒物を循環させながら通風乾燥する粉粒物乾燥装置であって、
被乾燥粉粒物を収容し循環させながら通風乾燥をする乾燥槽と、この乾燥槽に被乾燥粉粒物を投入して循環させる粉粒物揚送機とを備えて構成され、
乾燥槽の内部には、給風胴と排風胴とを対向させてそれらの間を被乾燥粉粒物の流下路と成した通風乾燥部を設けてあり、
通風乾燥部を構成する給風胴および排風胴またはそれらのいずれか一方の頂部には可動部材を被せてあって、この可動部材を往復滑動、揺動または振動させるなどの単独またはそれらの複合変動のための駆動手段を備えており、
前記可動部材の変動によって給風胴と排風胴の頂部およびその付近に生じる被乾燥粉粒物の固まりをほぐし、その良好な流動性を維持するように構成されていることを特徴とする
粉粒物乾燥装置。
【請求項２】
乾燥槽の内部には、通風乾燥部の下方に乾燥槽の被乾燥紛粒物を定量的に流下させるための粉粒物繰り出し部を設けてあり、この粉粒物繰り出し部の粉粒物繰り出し規制体の頂部にも、往復滑動、揺動または振動させる可動部材を被せてあることを特徴とする請求項１記載の粉粒物乾燥装置。
【請求項３】
通風乾燥部の可動部材と粉粒物繰り出し部の可動部材は、互いに直交する方向に設けられていることを特徴とする請求項２記載の粉粒物乾燥装置。
【請求項４】
通風乾燥部を構成する給風胴および排風胴の頂部または粉粒物繰り出し部の粉粒物繰り出し規制体の頂部は山形状であって、可動部材もそれらの形状に沿った山形状であることを特徴とする請求項２または３記載の粉粒物乾燥装置。
【請求項５】
可動部材はその裏側に、給風胴、排風胴または粉粒物繰り出し規制体の頂部に一定間隔を保って滑動自在に支持するローラを備えていることを特徴とする請求項１ないし４のいずれかに記載の粉粒物乾燥装置。
【請求項６】
複数の可動部材は、それぞれ各別に往復滑動、揺動または振動させる個別の駆動手段を備えていることを特徴とする請求項１ないし５のいずれかに記載の粉粒物乾燥装置。
【請求項７】
可動部材は、その往復滑動、揺動または振動などの変動による粉粒物のほぐし作用を増強させるための棒状突起を備えていることを特徴とする請求項１ないし６のいずれかに記載の粉粒物乾燥装置。
【発明の詳細な説明】
【０００１】
【発明の属する技術分野】
本発明は、おが屑などの被乾燥粉粒物を循環させながら通風乾燥する粉粒物乾燥装置に関するものである。
【０００２】
【従来の技術】
木材の加工、製材等に伴って発生するおが屑は、燃料、堆肥の原料、茸類の栽培基など、広範囲の利用が可能であるが、おが屑を燃料として利用する場合にはペレット状に成形されることが多くその場合、成形に最適な水分値で均質な状態に乾燥していることが必要であり、また堆肥の原料としたり茸類の栽培基として利用する場合にも、それぞれの利用の仕方に最も適した水分値で均質な状態に乾燥していることが求められる。
【０００３】
一般に、丸太材などの製材に伴って発生するおが屑は、それ自体かなりの水分を含んでおり、また、木材の加工や材木の切断に伴って発生するおが屑も、その収集や保管の状況によるが、水分を多く含んだ状態で提供されるので、多くの場合、収集されるおが屑は、それぞれの利用方法に適した所要の水分まで乾燥しなければならないものである。
【０００４】
このため、従来からおが屑の乾燥手段が種々提案されている。それを機能別に概ね分類すれば、被乾燥おが屑の静止堆積層に熱風を浴びせて乾燥するもの（特開昭４８−２４３６号公報参照）、被乾燥おが屑を回転ドラムで撹拌しながら加熱乾燥するもの（特開６０−２８６８号公報参照）、被乾燥おが屑をサイクロンで旋回させながら熱風を浴びせるもの（実願昭５５−１６７１５７号：実開昭５７−８９１９６号のマイクロフィルム参照）、被乾燥おが屑を乾燥ドラム内で撹拌体で撹拌しながら熱風で乾燥するもの（実願平２−４１８６４号：実開平４−１３９４号のマイクロフィルムまたは特開平７−３１２９７５号公報参照）がある。
【０００５】
【発明が解決しようとする課題】
おが屑、米糠、油粕、コーヒー豆滓、大豆粕、おから、籾などの穀物のような粉粒物は、水分を多く含むと団子状にかたまった態様を呈するので、それを堆積したままで熱風を浴びせても乾燥効率が甚だ低く、また表面だけは乾燥しても全体を均等に乾燥することができないものである。また、粉粒物を乾燥し易いように回転ドラムや撹拌体により撹拌しても、粉粒物のかたまりがやや小さくなるだけで散粒状にほぐれた態様とはならず、やはり効率よく均等に乾燥することができないのが実情である。
【０００６】
そこで、本発明は、内部に通風乾燥部を設けた乾燥槽の上部から被乾燥粉粒物を投入し、かつ通風乾燥部を流下させて下部から排出する循環をさせながら通風乾燥する粉粒物乾燥装置において、乾燥槽内の通風乾燥部を構成する給風胴および排風胴またはそれらのいずれか一方の頂部に可動部材を被せ、さらには通風乾燥部の下方の粉粒物繰り出し部の規制体頂部にも同様の可動部材を被せて、これら可動部材を往復滑動、揺動または振動させるなどの単独またはそれらの複合変動のための駆動手段を備えることによって、前記可動部材の変動により給風胴と排風胴の頂部およびその付近、さらには粉粒物繰り出し部の頂部およびその付近に生じる被乾燥粉粒物の固まりをほぐし、その良好な流動性を維持することにより、被乾燥粉粒物を効率よく全体を均等に乾燥することができる粉粒物乾燥装置を提供することを目的とするものである。
【０００７】
【課題を解決するための手段】
上記目的を達成するため、本発明は請求項１ないし７に係る粉粒物乾燥装置を提供する。なお、本発明において粉粒体とは、おが屑、米糠、油粕、コーヒー豆滓、大豆粕、おから、籾などの穀物、その他の粉状ないしは粒状を呈する物を指称する。
【０００８】
請求項１に係る粉粒物乾燥装置は、被乾燥粉粒物を循環させながら通風乾燥する粉粒物乾燥装置であって、被乾燥粉粒物を収容し循環させながら通風乾燥をする乾燥槽と、この乾燥槽に被乾燥粉粒物を投入して循環させる粉粒物揚送機とを備えて構成され、乾燥槽の内部には、給風胴と排風胴とを対向させてそれらの間を被乾燥粉粒物の流下路と成した通風乾燥部を設けてあり、通風乾燥部を構成する給風胴および排風胴またはそれらのいずれか一方の頂部には可動部材を被せてあって、この可動部材を往復滑動、揺動または振動させるなどの単独またはそれらの複合変動のための駆動手段を備えており、前記可動部材の変動によって給風胴と排風胴の頂部およびその付近に生じる被乾燥粉粒物の固まりをほぐし、その良好な流動性を維持するように構成されていることを特徴とするものである。
【０００９】
請求項２に係る粉粒物乾燥装置は、請求項１記載の粉粒物乾燥装置において、乾燥槽の内部には、通風乾燥部の下方に乾燥槽の被乾燥紛粒物を定量的に流下させるための粉粒物繰り出し部を設けてあり、この粉粒物繰り出し部の粉粒物繰り出し規制体の頂部にも、往復滑動、揺動または振動させる可動部材を被せてあることを特徴とするものである。
【００１０】
請求項３に係る粉粒物乾燥装置は、請求項２記載の粉粒物乾燥装置において、通風乾燥部の可動部材と粉粒物繰り出し部の可動体は、互いに直交する方向に設けられていることを特徴とするものである。
【００１１】
請求項４に係る粉粒物乾燥装置は、請求項２または３記載の粉粒物乾燥装置において、通風乾燥部を構成する給風胴および排風胴の頂部または粉粒物繰り出し部の粉粒物繰り出し規制体の頂部は山形状であって、可動部材もそれらの形状に沿った山形状であることを特徴とするものである。
【００１２】
請求項５に係る粉粒物乾燥装置は、請求項１ないし４のいずれかに記載の粉粒物乾燥装置において、可動部材はその裏側に、給風胴、排風胴または粉粒物繰り出し規制体の頂部に一定間隔を保って滑動自在に支持するローラを備えていることを特徴とするものである。
【００１３】
請求項６に係る粉粒物乾燥装置は、請求項１ないし５のいずれかに記載の粉粒物乾燥装置において、複数の可動部材は、それぞれ各別に往復滑動、揺動または振動させる個別の駆動手段を備えていることを特徴とするものである。
【００１４】
請求項７に係る粉粒物乾燥装置は、請求項１ないし６のいずれかに記載の粉粒物乾燥装置において、可動部材は、その往復滑動、揺動または振動などの変動による粉粒物のほぐし作用を増強させるための棒状突起を備えていることを特徴とするものである。
【００１５】
【発明の実施の形態】
図面は本発明の一実施の形態に係る粉粒物乾燥装置として、おが屑乾燥装置を例示している。このため、発明の実施の形態において粉粒物はその一例であるおが屑と称するものとする。図１はおが屑乾燥装置の縦断正面図、図２は一部を破断して示す側面図、図３は乾燥槽の下部構造を示す斜視図、図４は乾燥部における可動部材およびその駆動構造を示す正面図、図５は同上断面図である。図６は可動部材の複数の変動態様を示す概念図である。
【００１６】
図１ないし図３に示すように、本発明に係るおが屑乾燥装置１は、乾燥槽２と粉粒物揚送機３とで構成されている。乾燥槽２は、その上部から順におが屑収容部４、通風乾燥部５、おが屑滞留部６を成しており、おが屑滞留部６の下端は、複数の繰り出しロール７によるおが屑繰り出し部８を成している。９はその山形の繰り出し規制体である。１０はおが屑収集部であり、その下端部にはおが屑排出スクリューコンベア１１が設けられている。また、おが屑収容部４の上部、すなわち乾燥槽２の天面には、おが屑を均等分散させるための均分スクリューコンベア１２が設けられている。乾燥槽２の上記おが屑排出スクリューコンベア１１の搬送終端とおが屑揚送機３の下端側とはおが屑搬送樋１３により接続されており、おが屑揚送機３の上端側と均分スクリューコンベア１２とはおが屑搬送樋１４により接続されている。上記おが屑搬送樋１３はおが屑の流下を円滑にするため急勾配と成っており、おが屑搬送樋１４も同様である。おが屑揚送機３はバケットコンベアであり、１５は上部プーリ、１６は下部プーリ、１７は搬送ベルト、１８はバケットである。
【００１７】
乾燥槽２の下部は、おが屑収容部４、通風乾燥部５、おが屑滞留部６およびおが屑収集部１０によって左右に２分されていて、その一方が熱風室１９、他方が排風室２０と成っている。なお、熱風室１９には熱風発生装置が内蔵または外付けで装備され、排風室２０には吸引ファンを介して、またはそのまま外気に通じさせてあり（なお、これらについてはいずれも図示していない。）、熱風室１９から通風乾燥部５に吸引風または圧送風の熱風が送風され、かつ排風室２０に排出されるように構成されている。
【００１８】
乾燥槽２の天面には、おが屑収容部３の上部空間から吸引排気する吸引排気ファン２１が設けられている。おが屑搬送樋１３には未乾燥のおが屑投入口２２が設けられており、おが屑搬送樋１４には乾燥済みのおが屑排出口２３がそれぞれ設けられている。２４、２５はそれらの開閉シャッタである。おが屑揚送機３には、揚送中に飛散する被乾燥おが屑を採取してその水分を計測する水分計測手段２６を備えている。本発明に係るおが屑乾燥装置１にあっては、この水分計測手段２６により、循環乾燥中のおが屑の水分が所定値になったことを検出された時点で、乾燥を終了するように構成してある。
【００１９】
乾燥槽２の通風乾燥部５は、頂部が山形で多孔状の給風胴２７と同様の排風胴２８を交互に配設して、それらの間におが屑流下路２９を形成して成るものであり、給風胴２７は熱風室１９に、排風胴２８は排風室２０にそれぞれ連通させてあって、熱風室１９から熱風が給風胴２７、おが屑流下路２９を横切って排風胴２８に流入したうえ排風室２０に排出されるように成っている。
【００２０】
通風乾燥部５の排風胴２８の山形の頂部には、その山形に沿った形状の可動部材３０が被せてある。この可動部材３０は、その裏側に、排風胴２８の頂部に一定間隔を保って滑動自在に支持する頂部の支持ローラ３１および側部の支持ローラ３２を備えている。可動部材３０はその先端が支持部３３に滑動自在に支持されており、３４はその部分のカバーである。可動部材３０の基端にはアクチュエータ３５に連結されていて、アクチュエータ３５の通電駆動により可動部材３０が往復滑動されるように構成されている。このアクチュエータ３５による駆動手段は、往復滑動のほか、揺動または振動させるなどの単独またはそれらの複合変動のための機能を備えてもよく、可動部材３０の変動によって給風胴２７と排風胴２８の頂部およびその付近ないしは給風洞２７の付近に生じる被乾燥おが屑の固まりをほぐし、その良好な流動性を維持するものである。
【００２１】
可動部材３０は、その往復滑動、揺動または振動などの変動によるおが屑のほぐし作用を増強させるための棒状突起３６を複数備えたものとしてもよい。また、複数の可動部材３０には、それぞれ各別に往復滑動、揺動または振動させる個別の駆動手段を備えてそれらの変動態様を複雑にすれば、おが屑のほぐし効果を一段と向上させることができる。図６において（Ａ）は可動部材３０の往復滑動態様、（Ｂ）は横方向の往復動態様、（Ｃ）は上下動態様、（Ｄ）は捻り動態様を示している。
【００２２】
本発明に係るおが屑乾燥装置１においては、通風乾燥部５の下方に設けたおが屑繰り出し部８のおが屑繰り出し規制体９の頂部にも可動部材３０を設けてあり、その構成は排風胴２８に設けた可動部材３０と同等である。図示の実施の形態においては、通風乾燥部５の可動部材３０とおが屑繰り出し部８側の可動部材３０は、互いに直交する方向に設けられているので、通風乾燥部５およびおが屑繰り出し部８付近におけるおが屑のほぐし効果が大きく、その流動性がいっそう良好である。また、通風乾燥部５の排風胴２８だけでなく給風胴２７の頂部にも同様の可動体３０を設けることにより、おが屑の流動性をさらに良好ならしめることができる。なお、可動部材３０を排風胴２８に設けず給風胴２７だけに設けても所期の効果を期待できるものである。
【００２３】
本発明に係るおが屑乾燥装置１によれば、乾燥槽２内の通風乾燥部５を構成する給風胴２７および排風胴２８またはそれらのいずれか一方の頂部に可動部材３０を被せ、さらには通風乾燥部５の下方のおが屑繰り出し部８のおが屑繰り出し規制体９にも同様の可動部材３０を被せて、これら可動部材３０を往復滑動、揺動または振動させるなどの単独またはそれらの複合変動のための駆動手段を備えているので、可動部材３０の変動により給風胴２７と排風胴２８の頂部およびその付近、さらにはおが屑繰り出し部のおが屑繰り出し規制体９の頂部およびその付近に生じるおが屑の固まりをほぐし、その良好な流動性を維持することができる。このため、水分を多く含んだ被乾燥おが屑であっても効率よく全体を均等に乾燥することができるものである。
【００２４】
【発明の効果】
本発明によれば、内部に通風乾燥部を設けた乾燥槽の上部から被乾燥粉粒物を投入し、かつ通風乾燥部を流下させて下部から排出する循環をさせながら通風乾燥する粉粒物乾燥装置において、乾燥槽内の通風乾燥部を構成する給風胴および排風胴またはそれらのいずれか一方の頂部に可動部材を被せ、さらには通風乾燥部の下方の粉粒物繰り出し部の規制体頂部にも同様の可動部材を被せて、これら可動部材を往復滑動、揺動または振動させるなどの単独またはそれらの複合変動のための駆動手段を備えることによって、前記可動部材の変動により給風胴と排風胴の頂部およびその付近、さらには粉粒物繰り出し部の頂部およびその付近に生じる被乾燥粉粒物の固まりをほぐし、その良好な流動性を維持することにより、被乾燥粉粒物を効率よく全体を均等に乾燥することができる効果が得られるものである。
【図面の簡単な説明】
【図１】本発明の一実施の形態に係る粉粒物乾燥装置の一例であるおが屑乾燥装置を示す縦断正面図である。
【図２】同上一部を破断して示す側面図である。
【図３】同上乾燥槽の下部構造を示す斜視図である。
【図４】乾燥部における可動部材およびその駆動構造を示す正面図である。
【図５】同上断面図である。
【図６】可動部材の複数の変動態様を示す概念図である。
【符号の説明】
１  おが屑乾燥装置
２  乾燥槽
３  おが屑揚送機
４  おが屑収容部
５  通風乾燥部
６  おが屑滞留部
７  繰り出しロール
８  おが屑繰り出し部
９  おが屑繰り出し規制体
１０  おが屑収集部
１１  おが屑排出スクリューコンベア
１２  均分スクリューコンベア
１３、１４  おが屑搬送樋
１５  上部プーリ
１６  下部プーリ
１７  搬送ベルト
１８  バケット
１９  熱風室
２０  排風室
２１  吸引排気ファン
２２  おが屑投入口
２３  おが屑排出口
２４、２５  開閉シャッタ
２６  水分計測手段
２７  給風胴
２８  排風胴
２９  おが屑流下路
３０  可動部材
３１、３２  支持ローラ
３３  支持部
３４  カバー
３５  アクチュエータ
３６  棒状突起
【図１】
2005016752.tif 000003
【図２】
2005016752.tif 000004
【図３】
2005016752.tif 000005
【図４】
2005016752.tif 000006
【図５】
2005016752.tif 000007
【図６】
2005016752.tif 000008